(57)【要約】      （修正有）【課題】片手だけで簡単に操作できる使い勝手の良いロール紙ホルダを提供する。【解決手段】ロール紙ホルダ１は、上面が開口され一端部にロール紙引出部を備え且つロール紙本体１０１を回転可能に保持するホルダ本体１０と、ホルダ本体１０の前記ロール紙引出部に設置されたロール紙切断機構２０とを有する。ホルダ本体１０は、他端部に設置された本体背面部（本体背面板）１１と、本体背面部（本体背面板）１１とロール紙引出部との間で上に向かって突き出るように配設され上端部でロール紙を案内するロール紙ガイド部材１２と、ロール紙ガイド部材１２に連なり且つロール紙１０１を底面側で保持する傾斜底面板１３とを備えている。【選択図】図１
2017035368.tif 000002
【特許請求の範囲】
【請求項１】
上面が開口され一端部にロール紙引出部を備え且つロール紙全体を回転可能に保持するホルダ本体と、このホルダ本体の前記ロール紙引出部に設置されたロール紙切断機構とを有するロール紙ホルダにおいて、
前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備えたことを特徴とするロール紙ホルダ。
【請求項２】
請求項１に記載のロール紙ホルダにおいて、
前記ロール紙ガイド部材の上端部を、前記ロール紙の中心よりも上方位置部分に設置したことを特徴とするロール紙ホルダ。
【請求項３】
請求項１又は２に記載のロール紙ホルダにおいて、
前記ロール紙ガイド部材の上端部を、円形の断面で形成したことを特徴とするロール紙ホルダ。
【請求項４】
請求項１，２又は３に記載のロール紙ホルダにおいて、
前記傾斜底面板は、水平面に対して予め設定された第１の傾斜角で傾斜している後側傾斜領域と、この後側傾斜領域の前端に連なって前記第１の傾斜角よりも小さい水平面に対して予め設定された第２の傾斜角で傾斜している前側傾斜領域とを有することを特徴とするロール紙ホルダ。
【請求項５】
請求項１乃至４の何れか１つに記載のロール紙ホルダにおいて、
前記傾斜底面板のロール紙当接領域に、ロール紙用の当接摩擦部材を装着したことを特徴とするロール紙ホルダ。
【請求項６】
請求項１乃至５の何れか１つに記載のロール紙ホルダにおいて、
前記傾斜底面板と前記本体背面部との下端部相互間に貫通長穴を設けると共に、この貫通長穴の幅を、前記ロール紙が軸芯として備えている筒状軸の外形寸法よりも小さく設定したことを特徴とするロール紙ホルダ。
【請求項７】
請求項１乃至６のいずれか１つに記載のロール紙ホルダにおいて、
前記ロール紙切断機構を、ロール紙用の切断刃部と、この切断刃部を下部から支持する刃支持部とにより構成したことを特徴とするロール紙ホルダ。
【請求項８】
請求項７に記載のロール紙ホルダにおいて、
前記切断刃部を、軟質部材により構成したことを特徴とするロール紙ホルダ。
【請求項９】
請求項１乃至８のいずれか１つに記載のロール紙ホルダにおいて、
前記ロール紙ガイド部材を、前記ロール紙切断機構側に向けて傾斜した状態に設定したことを特徴とするロール紙ホルダ。
【発明の詳細な説明】
【技術分野】
【０００１】
本発明は、ロール紙ホルダに関し、より詳細には、トイレットペーパ用のロール紙ホルダに関する。
【背景技術】
【０００２】
トイレットペーパ用のロール紙は、一般的に、紙筒にロール紙が巻回された形態をしている（以下、このロール紙が巻回された形態を「ロール紙本体」とする）。そして、このロール紙の使用に先立って、使用者がロール紙本体をロール紙ホルダにセット（設置）することになる。
【０００３】
ここで、通常、ロール紙ホルダは、壁に取り付けられる本体背面板とこの本体背面板の両側から延びる心棒支持用側面板とを備えたホルダ本体と、ホルダ本体の上面後部を軸にして開閉自在に取り付けられロール紙切取り板として利用される蓋とを備えている。
【０００４】
したがって、このようなロール紙ホルダでは、一般に、ロール紙がセットされる場合、まず、一方の手でロール紙本体が把持されると共に他方の手でロール紙本体の紙筒内に心棒が挿入され、次に、この心棒の挿入に用いた片手でロール紙ホルダの蓋が持ち上げられ、最後に、ロール紙本体に挿入された心棒が両手を用いてロール紙ホルダの側面板の心棒受容部にセットされる。
【０００５】
また、ロール紙を引き出して切断する場合には、一方の手で上記蓋部材が持ち上げられ、もう一方の手でロール紙の先端部分がつかまれ、使用者が必要とする量だけロール紙が引き出され、続いて蓋を持ち上げた一方の手を用いて蓋でロール紙が抑え付けられ、ロール紙を引き出したもう一方の手でロール紙が引っ張られて、上記必要分のロール紙が切り取られる。
【０００６】
これに対し、上記不都合を解消するために、従来より、種々の提案がなされている（特許文献１及び２参照）。
この内、特許文献１には、ロール紙本体を引き出し可能に載置する断面視半円状凹部を有するＲ部分（載置部）と、この載置部の前方に配設したロール紙カット部分と、載置部前端からロール紙カット部分まで延びロール紙先端部部分を摘まみ易くする突出し部分と、を備えた蓋のないロール紙ホルダが提案されている。
【０００７】
また、特許文献２には、ロール紙を引き出し可能に載置する載置部を備え、この載置部は、壁面に沿って固定される固定部から前方に下り傾斜となる下降部と、この下降部の前方から昇り傾斜となり、前方にペーパ切断歯が設けられている上昇部と、を備え、ロール紙本体が接する下降部又は上昇部の水平面に対する傾斜角度が下方になるほど大きくなるロール紙ホルダが提案されている。
【先行技術文献】
【特許文献】
【０００８】
【特許文献１】特開第２０１３−４３０７８号
【特許文献２】特開第２０１３−６３２１０号
【発明の概要】
【発明が解決しようとする課題】
【０００９】
しかしながら、特許文献１の技術は、蓋が設置されておらず、上記載置部にロール紙が簡単にセットされ、ロール紙先端部の引き出しも容易な構成とされているが、使用によりロール紙の直径が小さくなると、ロール紙の曲率が変化するためＲ部分との接触が少なくなり、その結果ロール紙の自重に基づく摩擦力が減少し、前方に飛び出しやすくなったり、ロール紙が前後に揺動して不安定になったりして、ロール紙の送り速度も不安定になるという不都合があった。
【００１０】
また、特許文献２の技術は、ロール紙本体が小さくなった場合でも２つの斜面の間にロール紙が載置されるため摩擦力が減少することはないが、上記２つの斜面が鈍角で互いに傾けられた構造であり、この２つの斜面間にロール紙を載置した状態でロール紙の引き出しが行われると、ロール紙が前方向に飛び出したり後方にはね戻ったりするという不安定な挙動をする場合があり、このためロール紙の引き出し速度も不安定になるという不都合があった。
【００１１】
（本発明の目的）
本発明の目的は、上記関連技術が有する課題を解決するためになされたものであり、片手だけで簡単に操作でき使い勝手がよいロール紙ホルダを提供することである。
【課題を解決するための手段】
【００１２】
上記の目的を達成するために、本発明に係るロール紙ホルダは、上面が開口され一端部にロール紙引出部を備え且つロール紙全体を回転可能に保持するホルダ本体と、このホルダ本体の前記ロール紙引出部に設置されたロール紙切断機構とを有するロール紙ホルダにおいて、前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備えたことを特徴としている。
【発明の効果】
【００１３】
本発明は上述したように、前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備えるように構成したので、使用によりロール紙のサイズが小さくなってロール紙の重量が軽くなっても、ロール紙が傾斜底面板に接触するので摩擦力が減少する不都合がなくなると共に、上記ロール紙ガイド部材を用いてロール紙の引き出し方向を設定できるので、これによりロール紙が不安定な挙動をするという不都合がなくなり、ロール紙の滑らかで安定した引き出しを実現し、ロール紙の引き出しを片手だけで簡単に行うことでき使い勝手がよいロール紙ホルダを提供することができる。
【図面の簡単な説明】
【００１４】
【図１】本発明にかかるロール紙ホルダの第１の実施形態を示す斜視図である。
【図２】図１のＩＩ−ＩＩ線矢視方向の断面図である。
【図３】図１のロール紙ホルダの平面図である。
【図４】図１に開示したロール紙ホルダに未使用のロール紙本体を設置した状態を示す説明図である。
【図５】図１に開示したロール紙ホルダに半分程度使用したロール紙本体が設置されている状態を示す説明図である。
【図６】図１に開示したロール紙ホルダに残り少なくなったロール紙本体が設置されている状態を示す説明図である。
【図７】本発明にかかるロール紙ホルダの第２の実施形態を示す断面図である。
【発明を実施するための形態】
【００１５】
以下、本発明の第１の実施形態を図１乃至図６に従って説明する。最初に、本発明の基本的な構成を説明し、その後に具体的な内容を説明する。
【００１６】
〔基本的な構成〕
第１の実施形態におけるロール紙ホルダ１は、図１乃至図６に示すように、上面が開口され一端部にロール紙引出部１０Ａを備え且つ巻回されたロール紙（例えば、トイレットペーパ）全体１０１を回転可能に保持するホルダ本体１０と、このホルダ本体１０のロール紙引出部１０Ａに設置されたロール紙切断機構２０とを有する。
【００１７】
ここで、上記ホルダ本体１０は、他端部に設置された本体背面部（例えば、本体背面板）１１と、この本体背面部１１と前記ロール紙引出部１０Ａとの間で上に向かって突き出るように配設され上端部でロール紙１０１の引き出された部分を案内するロール紙ガイド部材１２と、このロール紙ガイド部材１２に連なり且つ前記ロール紙１０１を底面側で保持する傾斜底面板１３とを備えている。
【００１８】
また、前記ロール紙ガイド部材の上端部は、前記ロール紙の中心よりも上方位置部分に設置されている。更に、前記ロール紙ガイド部材の上端部は、円形の断面で形成されている。
【００１９】
以下、これを更に詳述する。
【００２０】
〔具体的構成〕
第１の実施形態におけるロール紙ホルダ１は、図１乃至図３に示すように、上面が開口され一端側（前面側）から他端側（背面側）に向かって底面が深くなる箱型をしており、上述したように、一端部（前端部）にロール紙引出部１０Ａを備え且つ巻回されたロール紙１０１全体を回転可能に保持するホルダ本体１０と、このホルダ本体１０のロール紙引出部１０Ａに設置されたロール紙切断機構２０とを備えている。
【００２１】
ここで、ロール紙ホルダ１により保持されるロール紙１０１は、第１の実施形態の場合、軸芯として備えている筒状軸１０２に、（一定間隔で切取り用のミシン目が刻まれている）ロール紙が巻回されたトイレットペーパである。しかし、これに限定されず、一定間隔のミシン目が刻まれていないトイレットペーパであってもよい。また、キッチンペーパなどの他のロール紙であってもよい。
【００２２】
（ホルダ本体）
この内、ホルダ本体１０は、上述したように、上記ホルダ本体１０の本体背面部としての本体背面板１１と、この本体背面板１１と上記ロール紙引出部１０Ａとの間で上に向かって突き出るように配設され上端部でロール紙を案内するロール紙ガイド部材１２と、このロール紙ガイド部材１２に連なり背面側に向かって斜め下向きに延び且つ前記ロール紙１０１を底面側で保持する傾斜底面板１３とを備えている。
更に、ホルダ本体１０は、上記本体背面板１１の両側端領域から前方に向かって延び且つ上記本体背面板１１と上記ロール紙ガイド部材１２と傾斜底面板１３と後述する支持部１５とを両側面側から相互間で支持する２つの側面板１９Ａ，１９Ｂとを備えている。
ここで、ホルダ本体１０は、主にプラスチックなどの樹脂で作製することができるが、これに限定されない。ホルダ本体１０は、例えば、焼きもの、ガラス、鉄、真鍮、石材、木材、紙、およびこれらの組み合わせで作製されてもよい。
【００２３】
この内、本体背面板１１は、図１に示すように、長方形の板材である。この本体背面板１１は、低摩擦の材料で作製されており、本体背面板１１の前面側表面は平滑面となっている。
また、本体背面板１１の四隅領域には、この本体背面板１１を壁面（例えば、トイレの壁面又はトイレの個室仕切り板の内面）にねじ止めするための貫通ねじ穴１１Ａ，１１Ｂ，１１Ｃ，及び１１Ｄが形成されている。
【００２４】
ここで、本体背面板１１の前面側表面は、この本体背面板１１が壁面に設置された際には、上記壁面に平行な平面となる。そして、このホルダ本体１０にロール紙本体１０１がセットされると、本体背面板１１の前面側表面は、上記ロール紙本体１０１の背面側外周に当接する。
【００２５】
また、傾斜底面板１３は、図１乃至図３に示すように、上記ホルダ本体１０の底面として上記側面板１９Ａ，１９Ｂの下部相互間で前面側から背面側に向かって水平面に対して傾斜角が大きくなるように設置されている板材である。
【００２６】
より詳細には、傾斜底面板１３は、この傾斜底面板１３の後部を構成し水平面に対して予め設定された第１の傾斜角で傾斜している後側傾斜領域１３Ａと、この後側傾斜領域１３Ａの前端に連なって傾斜底面板１３の前部を構成し且つ前記第１の傾斜角よりも小さい水平面に対して予め設定された第２の傾斜角で傾斜している前側傾斜領域１３Ｂとにより構成されている。
【００２７】
この内、上記後側傾斜領域１３Ａの第１の傾斜角は、水平面に対して４０度乃至４５度（すなわち、本体背面板１１に対して４５度乃至５０度）、好ましくは、水平面に対して４４度（すなわち、本体背面板１１に対しても４６度）に設定されている。
ここで、傾斜角が水平面に対して４４度である場合、摩擦力が大きくなり過ぎず、ロール紙１０１が最も滑らかに引き出される。一方、これよりも傾斜角が大きくなると、摩擦力が大きくなりすぎるため、引き出しの際にロール紙先端部１０１Ａが引き出し最中に千切れてしまったりして不便となる。
また、上記前側傾斜領域１３Ｂの第２の傾斜角は、水平面に対して約３０度（すなわち、本体背面板１１に対しても約６０度）に設定されている。
【００２８】
また、図２に示すように、上記傾斜底面板１３の後側傾斜領域１３Ａと前側傾斜領域１３Ｂとの境界には、後側傾斜領域１３Ａと前側傾斜領域１３Ｂとを滑らかに接続する曲面状の中間曲面領域１３Ｃが設置されている。
【００２９】
また、上記後側傾斜領域１３Ａの上面下側には、図１乃至図３に示すように、外形が小さくなったロール紙に対して摩擦力を増加させる（摩擦係数の大きい）当接摩擦部材１６が装着されている。この摩擦増加部材１６は、例えば、すべり止めシートと呼ばれるシリコーン製シートで作製されている。しかし、これに限定されず、上記摩擦力を増加させる働きを有する他の材料及び形状が採用されてもよい。
【００３０】
ここで、この摩擦増加部材１６の寸法は、上記側面板１９Ａ，１９Ｂの下部相互間の距離と同じかそれよりわずかに狭い幅を有するように設定されている。この摩擦増加部材１６は、後側傾斜領域１３Ａの下側約３分の１を覆うと共に、後側傾斜領域１３Ａの下端から数ミリメートル突出しているように設置されている。また、摩擦増加部材１６の厚さは、一例として２ｍｍに設定されている。
【００３１】
また、前記傾斜底面板１３と前記本体背面板１１との下端部相互間には、貫通長穴１８が設けられている。この貫通長穴１８の幅は、前記ロール紙１０１が軸芯として備えている筒状軸１０２の外形寸法よりも小さく設定されている（図６参照）。
【００３２】
このため、ロール紙１０１が全て使用されても、この貫通長穴１８の上側に筒状軸１０２がひっかかって残るので、直ちに落下することはない。また、この筒状軸１０２を取り出す場合は、上面開口から片手を入れて筒状軸１０２を把持して取り出すか、逆に貫通長穴１８に筒状軸１０２を片手で押し込んで下方に押し出すか、又は貫通長穴１８の下側から筒状軸１０２を摘まんで取り出すことができる。
【００３３】
また、ホルダ本体１０は、上記本体背面板１１と上記ロール紙引出部１０Ａとの間且つ上記側面板１９Ａ，１９Ｂの相互間に上に向かって突き出るように配設され上端部１２Ａで先端が引き出されたロール紙１０１Ａを案内するロール紙ガイド部材１２と、上記傾斜底面板１３の前端（すなわち、前側傾斜領域１３Ｂの前端）から上方に且つ上記側面板１９Ａ，１９Ｂの相互間に延びると共に上記ロール紙ガイド部材１２の下端を下方から支持する支持部１５とを備えている。
【００３４】
この内、ロール紙ガイド部材１２は、上記側面板１９Ａ，１９Ｂの相互間距離に等しい横幅を有するガイド板である。この前記ロール紙ガイド部材１２は、ロール紙の設置をし易くするために前面側（すなわち、ロール紙引出部１０Ａに設置された前記ロール紙切断機構側）に向けて傾斜した状態で設置されている。
また、ロール紙ガイド部材１２の背面側は、ロール紙１０１が勢いよく前方に飛び出してしまった場合、ロール紙１０１の前面側外周に当接しロール紙１０１の前方移動を阻止するように設計されている。
【００３５】
更に、このロール紙ガイド部材１２の上端部１２Ａは、図１乃至図３に示すように、断面が円形に形成されている。
ここで、第１の実施形態では、この上端部１２Ａはロール紙ガイド部材１２の上端に一体成形されているが、これに限定されない。ロール紙ガイド部材１２としてのガイド板の上端に、このガイド板の幅と同等の長さを有する円筒状部材が、上端部１２Ａとして装着されてもよい。この場合、この円筒状部材は、当該筒状部材の長手方向に形成された溝が、上記ガイド板の上端に被さった状態で接着される。
また、ロール紙１０１がホルダ本体１０にセットされた状態にあるときに、このロール紙ガイド部材１２の上端部１２Ａの背面側とロール紙１０１との間には、ロール紙ガイド部材１２に案内されているロール紙先端部１０１Ａをつまむために手の指が差し込まれることを許容する空間が形成される。
【００３６】
このロール紙ガイド部材１２の上端部１２Ａは、未使用のロール紙１０１の中心よりも上方位置部分に設置されている（すなわち、未使用のロール紙１０１の中心より高い位置に設置されている）。このため、ロール紙先端部１０１Ａを引き出す場合に、この引き出しを行ってもロール紙１０１が前後に揺れ動かずに安定した状態で支持されつつ回転することになる。
【００３７】
また、この上端部１２Ａは、上記後側傾斜領域１３Ａの傾斜上面に沿った仮想の延長線よりも前方位置部分に設置されている。このため、後述するように、ロール紙１０１が上記後側傾斜領域１３Ａに保持されている最中に、ロール紙先端部１０１Ａを引き出す場合、ロール紙１０１が浮き上がって前に飛び出しにくくなされている。
【００３８】
更に、上記支持部１５は、上記傾斜底面板１３の前端（すなわち、前側傾斜領域１３Ｂの前端）から斜め上後方に延び且つ上部で上記ロール紙ガイド部材１２の下端を下方から支持する下方支持部材１５Ａと、この下方支持部材１５Ａから前面側に延びて上記ロール紙切断機構２０を支持する前方支持部材１５Ｂとにより構成されている。
【００３９】
また、上記本体背面板１１と，上記ロール紙ガイド部材１２と，傾斜底面板１３と，支持部１５とを両側面側から相互間で支持する２つの側面板１９Ａ，１９Ｂは、トイレットペーパの両端間（軸方向）の寸法（すなわち、筒状軸１０２の長さ）より大きい間隔で相互に平行に配設されている。
このため、ロール紙１０１がセットされると、側面板１９Ａ，１９Ｂによりロール紙１０１の軸方向の移動が規制されると共に、側面板１９Ａとロール紙１０１の一端との間及び側面板１９Ｂとロール紙１０１の他端との間には、それぞれ別々にあそびが存在することになり、ロール紙１０１を回転自在に保持することを許容するようになっている。
【００４０】
（切断機構）
また、ロール紙切断機構２０は、上述したように、ホルダ本体１０の前記ロール紙引出部１０Ａに設置されている。このロール紙切断機構２０は、ロール紙用の切断刃部２１と、前記前方支持部１５Ｂの前部上面領域に形成され上記切断刃部２１を下部から支持する刃支持部２２とを備えている。
【００４１】
この内、切断刃部２１は、網目模様の形態で形成されている軟質樹脂材により構成され、刃支持部２２に接着されている。この軟質樹脂材は、上記当接摩擦部材１６と同じすべり止めシートと呼ばれるシリコーン製シートで作製してもよいが、第１の実施形態では、これとは異なる別の樹脂製シートで作製されている。
切断刃部２１は、上述したように、軟質樹脂材で構成されている。このため、使用に際して使用者が刃で手や指を怪我をするおそれがなく、安全に使用することができる。
【００４２】
また、更に、この切断刃部２１を構成している軟質樹脂材の前端は、刃支持部２２の前端よりも前に突出しているように設置されている。
【００４３】
（ロール紙ホルダの動作）
使用者は、まず使用に先立って、ロール紙ホルダ１のホルダ本体１０内にロール紙１０１を、ロール紙が下側から引き出される状態で設置（セット）する。
ここで、ロール紙ホルダ１には蓋がないため、ホルダ本体１０の上面の開口から片手でロール紙１０１を簡単に設置することができる。
【００４４】
又、ロール紙１０１の設置に際して、ロール紙１０１から引き出されるロール紙ロール紙先端部１０１Ａは、ロール紙１０１の底側から前方斜め上方へ引き出され、続いて上に向かって突き出るように設置されたロール紙ガイド部材１２の上端部１２を経由するようにしてロール紙切断機構２０のある前方へ引き出される。
ここで、ロール紙ガイド部材１２の上端部１２は、前記ロール紙の中心よりも上方位置部分に設置されている。
このため、引き出されたロール紙先端部１０１が、ロール紙の中心より高い位置に位置するロール紙ガイド部材１２の上端部１２に案内されるので、ロール紙１０１の引き出しの際に、ロール紙１０１が前後に揺れ動いたりしない安定したロール紙の挙動状態で引き出しができる設定が可能になっている。
【００４５】
ホルダ本体１０内に未使用のロール紙１０１が設置された場合、図４に示すように、このロール紙１０１の背面側（すなわち、背面側外周部分１０１Ｃ）が本体背面板１１の表面に当接しつつ、ロール紙１０１の底面側（すなわち、底面側外周部分１０１Ｂ）が前側傾斜領域１３Ｂの後端付近で保持される。
【００４６】
続いて、使用者が、ロール紙先端部１０１Ａをつかんで未使用状態のロール紙１０１を引き出すと、ロール紙先端部１０１Ａが、ロール紙１０１の中心より高い位置に設置されたロール紙ガイド部材１２の上端部１２Ａに向かって引き出されると共に、引き出しにより回転したロール紙１０１の底面側外周部分１０１Ｂと前側傾斜領域１３Ｂとの間にロール紙本体１０１の自重による摩擦力が生じる。また、ロール紙１０１の背面側外周部分１０１Ｃと後側傾斜領域１３Ａとの間にも摩擦力が生じる。
【００４７】
このため、生じた各摩擦力によりロール紙１０１の転出加速が抑制され、ロール紙の１０１の前方への飛び出しが防がれると共に、滑らかで安定した紙送り速度を実現し、片手だけで簡単にロール紙先端部１０１Ａを引き出すことができる。
また、ロール紙１０１の中心より高い位置に設置された上端部１２Ａに向かってロール紙先端部１０１Ａが引き出される構成としたので、ロール紙先端部１０１Ａを引き出す際にロール紙１０１が前に飛び出しにくくロール紙１０１の位置が安定して状態で回転自在に保持されることによっても、更に滑らかで安定した紙送り速度を実現することができる。
【００４８】
また、引っ張り出されたロール紙先端部１０１Ａの切断に際しては、まず、ロール紙ガイド部材１２の上端部１２Ａを経由して延びるロール紙先端部１０１Ａを、切断刃部２１の上に覆うようにして接触させ、次に、ロール紙最先端部１０１ａを斜め後下方に押し切る又は斜め後下方に引き切る。
【００４９】
このとき、上記ロール紙１０１と傾斜底面板１３との間の第１の摩擦力と，上記ロール紙１０１と本体背面板１１との間の第２の摩擦力と，切断刃部２１を構成している軟質樹脂材によるロール紙先端部１０１Ａに対する摩擦力とに基づく第１の実施形態のロール紙ホルダ１が有するロール紙１０１の引き出しを抑制する能力を利用して、使用者は、ロール紙を片手で抑えなくても、ロール紙先端部１０１Ａのミシン目の箇所で容易に切り取ることができる。
【００５０】
また、ミシン目がないロール紙を切断する場合でも、ミシン目があるロール紙のミシン目が近くにない箇所でロール紙を切断する場合でも、勢いよくロール紙最先端部１０１ａを斜め後下方に押し切る又は斜め後下方に引き切ることでこれを片手で切断することができる。
【００５１】
ロール紙先端部１０１Ａを切断した後は、ロール紙１０１から引き出された新たな先端が上記ロール紙ガイド部材１２の上端部１２Ａから垂れ下がることになる。
ここで、次回、この新たなロール紙先端部を引き出して切断を行う際、使用者は、ロール紙先端部１０１Ａの上からロール紙ガイド部１２の上端部１２Ａの前面側と背面側の両方に指を配置し、上端部１２Ａから当該上端部１２Ａの両側に逆Ｕ字状に垂れているロール紙先端部１０１Ａを親指と他の指との間に挟んで引き上げることにより、このロール紙先端部１０１Ａを簡単につまみ出すことができる。
このとき、上端部１２Ａの前面側と背面側が膨らんでいる構成を採っているため、ロール紙先端部１０１Ａがつまみ易くなっている。また、つまみ出されるロール紙先端部１０１Ａは、親指と他の指との間で折れ曲がって二重になるため、引っ張っても切れにくい。
【００５２】
次に、図５及び図６を参照して、使用によりロール紙１０１の外形が小さくなった場合における、傾斜底面板１３によるロール紙１０１の保持の状態を説明する。
【００５３】
未使用のロール紙に比べて使用によりロール紙１０１の外形が小さくなると、まず、ロール紙本体１０１は、上記傾斜底面板１３との当接箇所を、後側傾斜領域１３Ａと前側傾斜領域１３Ｂとの境界にある中間曲面領域１３Ｃに移し、ロール紙１０１が引き出されるときには自重による摩擦力の下でこの中間曲面領域１３Ｃに対してロール紙１０１が摺動するようになる。
【００５４】
更に、使用によりロール紙１０１の外形が小さくなると、図５に示されるように、ロール紙本体１０１は、上記傾斜底面板１３との当接箇所を、前側傾斜領域１３Ｂに比較して水平面に対しての傾斜角が大きい後側傾斜領域１３Ａに移すことになる。このため、ロール紙１０１が軽くなっても、傾斜底面板１３の傾斜角が大きくなることで摩擦力が増加し、この増加した摩擦力の下で摺動することで、滑らかで安定した紙送り速度を実現し、片手だけで簡単にロール紙先端部１０１Ａを引き出すことを可能にしている。
【００５５】
続いて、使用によりロール紙１０１の外形が小さくなると、図６に示されるように、ロール紙本体１０１は、傾斜底面板１３に代わって、当接摩擦部材１６に当接することになる。このため、ロール紙１０１がほとんど無い軽量な状態でも、摩擦係数の大きい当接摩擦部材１６による摩擦力の下で、同様に、滑らかで安定した紙送り速度を実現し、片手だけで簡単にロール紙先端部１０１Ａを引き出すことを可能にしている。
【００５６】
上述したように、貫通長穴１８の幅が、前記ロール紙１０１が軸芯として備えている筒状軸１０２の外形寸法よりも小さく設定されている構成としたので、ロール紙１０１が全て使用されると、筒状軸１０２だけが貫通長穴１８の上方且つ前記傾斜底面板１３と前記本体背面板１１との下端部相互間に引っかかって残ることなる。
したがって、筒状軸１０２は、上面開口から片手を入れて筒状軸１０２を把持して取り出すか、上面開口から入れた片手で筒状軸１０２を貫通長穴１８に押し込んで下方に押し出すか、又は貫通長穴１８の下側から筒状軸１０２を片手でつまんで取り出すことができ、ロール紙ホルダ１に触れることなく、片手でこの筒状軸１０２を簡単に廃棄することができる。
【００５７】
（第１の実施形態の効果）
ロール紙ホルダ１は、他端部に設置された本体背面部（例えば、本体背面板）１１と、この本体背面部１１と前記ロール紙引出部１０Ａとの間で上に向かって突き出るように配設され上端部でロール紙１０１の引き出された部分を案内するロール紙ガイド部材１２と、このロール紙ガイド部材１２に連なり且つ前記ロール紙１０１を底面側で保持する傾斜底面板１３とを備えるように構成したので、これによりロール紙が不安定な挙動をするという不都合がなくなり、ロール紙の滑らかで安定した引き出しを実現し、ロール紙のセット，引き出し，切断，使用済軸芯の廃棄まで片手だけで簡単に行うことでき使い勝手がよいロール紙ホルダを提供することができる。
また、片手だけで扱うことができるため、ロール紙ホルダに触れる必要がなく清潔に使用することができ、更に、蓋やロール紙の軸芯を支持する部材を必要としないため構造が簡単であるホルダを提供することができる。
【００５８】
〔第２の実施形態〕
次に、本発明の第２の実施形態を図７に従って説明する。ここで、前述した第１実施形態と同一の構成部材については同一の符号を用いるものとする。
この第２の実施形態は、前述した第１の実施形態と異なり、支部部１５の下部を構成する下方支持部材１５Ａと、この下方支持部材１５Ａの上部に一体に形成されたロール紙ガイド部材１２とが、前側傾斜領域１３Ｂの前端から垂直に上方に延びるように配設されている。
ここで、上述したように、上記下方支持部材１５Ａと、上記ロール紙ガイド部材１２とが、前側傾斜領域１３Ｂの前端から垂直に上方に延びるように配設されているので、ホルダ本体１０の構造は、第１の実施形態のものよりも簡単になる。また、石材をくり抜いてこのホルダ本体１０を作製するような場合に適したものとなる。
【００５９】
〔他の実施形態〕
第１の実施形態による当接摩擦部材１６は、上述したように、後側傾斜領域１３Ａに装着されているが、これに限定されない。当接摩擦部材１６は装着されなくてもよい。この場合、後側傾斜領域１３Ａの上面下側がロール紙１０１の底面側に直接当接することになる。
ここで、当接摩擦部材１６を装着した構成では、上述したように、当接摩擦部材１６とロール紙１０１の底面側との間の摩擦力が大きくなり、このためロール紙１０１が前に飛び出しにくくなってロール紙１０１が安定して回転することになり、安定した引き出し速度を実現することができるという利点がある。 
これに対して、当接摩擦部材１６を装着しない構成とすると、当接摩擦部材１６とロール紙１０１の底面側との間の摩擦力に比べて後側傾斜領域１３Ａの上面下側とロール紙１０１の底面側との間の摩擦力の方が小さくなるため、ロール紙１０１が前に飛び出し易くなる反面、ロール紙先端部１０１Ａを軽い力で引き出すことができる。
【００６０】
また、当接摩擦部材１６は、後側傾斜領域１３Ａに接着固定されるのに代えて、後側傾斜領域１３Ａに、例えば、面ファスナを介して後側傾斜領域１３Ａに取り外し可能に装着されてもよい。この場合、材質や厚さが異なる複数種類の当接摩擦部材１６が予め用意されていれば、ロール紙の材質やサイズなどの特性に合わせて適切な当接摩擦部材１６を使用者が選択的に装備することができる。
したがって、様々な種類のロール紙に適切に対応してロール紙の滑らかな引き出しを実現することができ、また、ロール紙本体１０の直径が特に小さいロール紙（例えば、芯材のないトイレットペーパなど）を装着してもホルダ本体１０の下部開口からそのロール紙本体１０１Ａ落下するのを防ぐことができる。
【００６１】
また、当接摩擦部材１６は、その上面の傾斜角が傾斜底面板１３の傾斜角に比べて変更されるように、すなわち、厚みが次第に変化するように作製されてもよい。これによってもより摩擦力を徐々に増加させて、より滑らかなロール紙の引き出しを実現することができる。
【００６２】
更に、第１の実施形態におけるロール紙ホルダ１は、トイレットペーパ用のホルダとして説明したが、これに限定されない。ロール紙ホルダ１は、例えばキッチンペーパなどの他のロール紙用の製品として作製されてもよい。この場合、ロール紙ホルダ１は、キッチンペーパの寸法に合うようにロール紙ホルダ１の寸法を変更して構成されてもよい。
【００６３】
また、第１の実施形態では、切断刃部２１を構成している軟質樹脂材の前端が、刃支持部２２の前端よりも前に突出しているように設置されているが、これに限定されず、突出していなくてもよい。
更に、刃支持部２２は、その上面にＶ字状の刻み目を備え、この上に切断刃部２１が接着される構成としてもよい。これによって、より容易にロール紙の切断が可能になる。
【００６４】
更に、第１の実施形態では、本体背面部は本体背面板１１とされ、この本体背面板１１の前面側表面に、ロール紙１０１の背面側外周が当接すると説明されているが、これに限定されない。上記本体背面部は、本体背面板１１と、この本体背面板１１の前面側に装着され垂直かつ平行に延びるロール紙当接用の２本のレール部材とにより構成されていてもよい。
これにより、ロール紙１０１の背面側外周は、上記２本のレール部材に低い摩擦力で当接され、ロール紙の滑らかで安定した引き出しを実現することができる。
【符号の説明】
【００６５】
１  ロール紙ホルダ
１０  ホルダ本体
１０Ａ  ロール紙引出部
１１  本体背面部（本体背面板）
１２  ロール紙ガイド部材
１２Ａ  上端部
１３  傾斜底面板
１３Ａ  後側傾斜領域
１３Ｂ  前側傾斜領域
１３Ｃ  中間曲面領域
１５  支持部
１５Ａ  下方支持部材
１５Ｂ  前方支持部材
１６  当接摩擦部材
１８  貫通長穴
１９Ａ，１９Ｂ  側面板
２０  切断機構
２１  切断刃部
２２  支持部
２２Ａ  下方支持領域
２２Ｂ  前方支持領域
１０１  ロール紙
１０１Ａ  ロール紙先端部
１０１ａ  ロール紙最先端部
１０１Ｂ  底面側外周部分
１０１Ｃ  背面側外周部分
１０２  筒状軸
【図１】
2017035368.tif 000003
【図２】
2017035368.tif 000004
【図３】
2017035368.tif 000005
【図４】
2017035368.tif 000006
【図５】
2017035368.tif 000007
【図６】
2017035368.tif 000008
【図７】
2017035368.tif 000009
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
上面が開口され一端部にロール紙引出部を備え且つロール紙全体を回転可能に保持するホルダ本体と、このホルダ本体の前記ロール紙引出部に設置されたロール紙切断機構とを有するロール紙ホルダにおいて、
前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備え、
前記傾斜底面板を、後側傾斜領域と、この後側傾斜領域の前端に連なった前側傾斜領域とにより構成し、
前記前側傾斜領域は、前記後側傾斜領域に比較して水平面に対し小さい傾斜角で傾斜していることを特徴とするロール紙ホルダ。
【請求項２】
請求項１に記載のロール紙ホルダにおいて、
前記ロール紙ガイド部材の上端部を、使用開始直前の前記ロール紙の中心位置よりも上方位置部分に設置したことを特徴とするロール紙ホルダ。
【請求項３】
請求項１又は２に記載のロール紙ホルダにおいて、
前記ロール紙ガイド部材の先端部を、断面円形状の連続体で形成したことを特徴とするロール紙ホルダ。
【請求項４】
請求項１乃至８のいずれか１つに記載のロール紙ホルダにおいて、
前記本体背面部を、背面板と、この背面板の前面側に装着され垂直かつ平行に延びるロール紙当接用のレール部材とにより構成したことを特徴とするロール紙ホルダ。
【請求項５】
請求項１乃至４の何れか１つに記載のロール紙ホルダにおいて、
前記傾斜底面板の前記後側傾斜領域におけるロール紙当接部分に、ロール紙用の当接摩擦部材を装着したことを特徴とするロール紙ホルダ。
【請求項６】
請求項１乃至５の何れか１つに記載のロール紙ホルダにおいて、
前記傾斜底面板と前記本体背面部との下端部相互間に貫通長穴を設けると共に、この貫通長穴の幅を、前記ロール紙が軸芯として備えている筒状軸の外形寸法よりも小さく設定したことを特徴とするロール紙ホルダ。
【請求項７】
請求項１乃至６のいずれか１つに記載のロール紙ホルダにおいて、
前記ロール紙切断機構を、ロール紙用の切断刃部と、この切断刃部を下部から支持する刃支持部とにより構成したことを特徴とするロール紙ホルダ。
【請求項８】
請求項７に記載のロール紙ホルダにおいて、
前記切断刃部を、軟質部材により構成したことを特徴とするロール紙ホルダ。
【請求項９】
請求項１乃至８のいずれか１つに記載のロール紙ホルダにおいて、
前記ロール紙ガイド部材を、前記ロール紙切断機構側に向けて傾斜した状態に設定したことを特徴とするロール紙ホルダ。
【手続補正２】
【補正対象書類名】明細書
【補正対象項目名】００１２
【補正方法】変更
【補正の内容】
【００１２】
上記の目的を達成するために、本発明に係るロール紙ホルダは、上面が開口され一端部にロール紙引出部を備え且つロール紙全体を回転可能に保持するホルダ本体と、このホルダ本体の前記ロール紙引出部に設置されたロール紙切断機構とを有するロール紙ホルダにおいて、前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備え、前記傾斜底面板を、後側傾斜領域と、この後側傾斜領域の前端に連なった前側傾斜領域とにより構成し、前記前側傾斜領域は、前記後側傾斜領域に比較して水平面に対し小さい傾斜角で傾斜していることを特徴としている。』
【手続補正３】
【補正対象書類名】明細書
【補正対象項目名】００１３
【補正方法】変更
【補正の内容】
【００１３】
本発明は上述したように、前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備え、前記傾斜底面板を、後側傾斜領域と、この後側傾斜領域の前端に連なった前側傾斜領域とにより構成し、前記前側傾斜領域は、前記後側傾斜領域に比較して水平面に対し小さい傾斜角で傾斜しているように構成したので、前記ホルダ本体にロール紙を配置した場合、使用によりロール紙のサイズが小さくなってロール紙の重量が軽くなっても、ロール紙が傾斜底面板を構成している前側傾斜領域から後側傾斜領域に当接箇所（当接部分）を移すので摩擦力が減少する不都合がなくなる。さらに、同時に、上記ロール紙ガイド部材を用いてロール紙の引き出し方向を設定できるので、これによりロール紙が不安定な挙動をするという不都合がなくなり、ロール紙の滑らかで安定した引き出しを実現し、ロール紙の引き出しを片手だけで簡単に行うことでき使い勝手がよいロール紙ホルダを提供することができる。
【手続補正４】
【補正対象書類名】明細書
【補正対象項目名】００１８
【補正方法】変更
【補正の内容】
【００１８】
また、前記ロール紙ガイド部材１２の上端部は、前記ロール紙１０の中心よりも上方位置部分に設置されている。更に、前記ロール紙ガイド部材１２の先端部は、断面円形状の連続体で形成されている。
【手続補正５】
【補正対象書類名】明細書
【補正対象項目名】００３６
【補正方法】変更
【補正の内容】
【００３６】
このロール紙ガイド部材１２の上端部１２Ａは、未使用の（「使用開始直前の」ともいう。以下同じ。）ロール紙１０１の中心よりも上方位置部分に設置されている（すなわち、未使用のロール紙１０１の中心より高い位置に設置されている）。このため、ロール紙先端部１０１Ａを引き出す場合に、この引き出しを行ってもロール紙１０１が前後に揺れ動かずに安定した状態で支持されつつ回転することになる。
【手続補正６】
【補正対象書類名】明細書
【補正対象項目名】００５４
【補正方法】変更
【補正の内容】
【００５４】
更に、使用によりロール紙１０１の外形が小さくなると、図５に示されるように、ロール紙本体１０１は、上記傾斜底面板１３との当接箇所（以下、「当接部分」ともいう。）を、前側傾斜領域１３Ｂに比較して水平面に対しての傾斜角が大きい後側傾斜領域１３Ａに移すことになる。このため、ロール紙１０１が軽くなっても、傾斜底面板１３の傾斜角が大きくなることで摩擦力が増加し、この増加した摩擦力の下で摺動することで、滑らかで安定した紙送り速度を実現し、片手だけで簡単にロール紙先端部１０１Ａを引き出すことを可能にしている。
【手続補正７】
【補正対象書類名】明細書
【補正対象項目名】００６４
【補正方法】変更
【補正の内容】
【００６４】
更に、第１の実施形態では、本体背面部は本体背面板１１とされ、この本体背面板１１の前面側表面に、ロール紙１０１の背面側外周が当接すると説明されているが、これに限定されない。本体背面板１１には、当該本体背面板１１の前面側に垂直かつ平行に延びるロール紙当接用の２本のレール部材が設けられていてもよい。
これにより、ロール紙１０１の背面側外周は、上記２本のレール部材に低い摩擦力で当接され、ロール紙の滑らかで安定した引き出しを実現することができる。
【手続補正８】
【補正対象書類名】図面
【補正対象項目名】図１
【補正方法】変更
【補正の内容】
【図１】
2017035368.tif 000010
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
上面が開口され一端部にロール紙引出部を備え且つロール紙全体を回転可能に保持するホルダ本体と、このホルダ本体の前記ロール紙引出部に設置されたロール紙切断機構とを有するロール紙ホルダにおいて、
前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備え、
前記傾斜底面板を平面板で形成すると共に、当該傾斜底面板を、面状の後側傾斜領域と、この後側傾斜領域の前端に連なった面状の前側傾斜領域とにより構成し、
前記前側傾斜領域と後側傾斜領域の各傾斜面に沿った長さを略同等に設定すると共に、この前側傾斜領域と後側傾斜領域との中間曲面領域を、前記ホルダ本体の内側に向けて突出した状態に設置したことを特徴とするロール紙ホルダ。
【請求項２】
請求項１に記載のロール紙ホルダにおいて、
前記ホルダ本体をその開口部が水平になるように配置した場合の前記前側面状傾斜領域の面傾斜角を、前記開口部の水平面を基準として、前記後側面状傾斜領域の面傾斜角よりも小さい面傾斜角としたことを特徴とするロール紙ホルダ。
【請求項３】
請求項１又は２に記載のロール紙ホルダにおいて、
前記ロール紙ガイド部材の上端部を、断面円形状の棒状連続体で形成すると共に、当該棒状連続体の軸心位置が、使用開始直前の前記ロール紙の軸心位置よりも上方に位置するように形成したことを特徴とするロール紙ホルダ。
【請求項４】
請求項１乃至３に記載のロール紙ホルダにおいて、
前記本体背面部を、背面板と、この背面板の前面側に装着され垂直かつ平行に延びるロール紙当接用のレール部材とにより構成したことを特徴とするロール紙ホルダ。
【請求項５】
請求項１乃至４の何れか１つに記載のロール紙ホルダにおいて、
前記傾斜底面板の前記後側面状傾斜領域に、ロール紙用の当接摩擦部材を装着したことを特徴とするロール紙ホルダ。
【請求項６】
請求項１乃至５の何れか１つに記載のロール紙ホルダにおいて、
前記傾斜底面板と前記本体背面部との下端部相互間に貫通長穴を設けると共に、この貫通長穴の幅を、前記ロール紙が軸芯として備えている筒状軸の外形寸法よりも小さく設定したことを特徴とするロール紙ホルダ。
【請求項７】
請求項１乃至６の何れか１つに記載のロール紙ホルダにおいて、
前記ロール紙切断機構を、ロール紙用の切断刃部と、この切断刃部を下部から支持する刃支持部とにより構成したことを特徴とするロール紙ホルダ。
【請求項８】
請求項７に記載のロール紙ホルダにおいて、
前記切断刃部を、軟質部材により構成したことを特徴とするロール紙ホルダ。
【請求項９】
請求項１乃至８の何れか１つに記載のロール紙ホルダにおいて、
前記ロール紙ガイド部材を、前記ロール紙切断機構側に向けて傾斜した状態に設定したことを特徴とするロール紙ホルダ。
【手続補正２】
【補正対象書類名】明細書
【補正対象項目名】００１２
【補正方法】変更
【補正の内容】
【００１２】
上記の目的を達成するため、に、本発明に係るロール紙ホルダは、上面が開口され一端部にロール紙引出部を備え且つロール紙全体を回転可能に保持するホルダ本体と、このホルダ本体の前記ロール紙引出部に設置されたロール紙切断機構とを有するロール紙ホルダにおいて、
前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備え、
前記傾斜底面板を平面板で形成すると共に、当該傾斜底面板を、面状の後側傾斜領域と、この後側傾斜領域の前端に連なった面状の前側傾斜領域とにより構成し、
前記前側傾斜領域と後側傾斜領域の各傾斜面に沿った長さを略同等に設定すると共に、この前側傾斜領域と後側傾斜領域との中間曲面領域を、前記ホルダ本体の内側に向けて突出した状態に設置したことを特徴としている。
【手続補正３】
【補正対象書類名】明細書
【補正対象項目名】００２８
【補正方法】変更
【補正の内容】
【００２８】
また、図２に示すように、上記傾斜底面板１３の後側傾斜領域１３Ａと前側傾斜領域１３Ｂとの境界では、後側傾斜領域１３Ａと前側傾斜領域１３Ｂとを滑らかに接続する曲面状の中間局面領域１３Ｃが設置されている。
この中間局面領域１３Ｃは、図１，図２，図４乃至図７の各図に示すように、ホルダ本体１０の内側上方に向けて曲折されて突出した状態に設置され、これによって、上述した傾斜底面板１３が、後側傾斜領域１３Ａと前側傾斜領域１３Ｂがとにより形成された状態となっている。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
上面が開口され一端部にロール紙引出部を備え且つロール紙全体を回転可能に保持するホルダ本体と、このホルダ本体の前記ロール紙引出部に設置されたロール紙切断機構とを有するロール紙ホルダにおいて、
前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備え、
前記傾斜底面板を、平面状の後側面状傾斜領域と、この後側面状傾斜領域の前端に連なった平面状の前側面状傾斜領域とにより構成し、
前記前側面状傾斜領域と後側面状傾斜領域の各傾斜面に沿った長さを略同等に設定すると共に、この前側面状傾斜領域と後側面状傾斜領域との中間曲面領域を、前記ホルダ本体の内側に向けて突出した状態に設置したことを特徴とするロール紙ホルダ。
【請求項２】
請求項１に記載のロール紙ホルダにおいて、
前記ホルダ本体をその開口部が水平になるように配置した場合の前記前側面状傾斜領域の面傾斜角を、前記開口部の水平面を基準として、前記後側面状傾斜領域の面傾斜角よりも小さい面傾斜角としたことを特徴とするロール紙ホルダ。
【請求項３】
請求項１又は２に記載のロール紙ホルダにおいて、
前記ロール紙ガイド部材の上端部を、断面円形状の棒状連続体で形成すると共に、当該棒状連続体の軸心位置が、使用開始直前の前記ロール紙の軸心位置よりも上方に位置するように形成したことを特徴とするロール紙ホルダ。
【請求項４】
請求項１乃至３に記載のロール紙ホルダにおいて、
前記本体背面部を、背面板と、この背面板の前面側に装着され垂直かつ平行に延びるロール紙当接用のレール部材とにより構成したことを特徴とするロール紙ホルダ。
【請求項５】
請求項１乃至４の何れか１つに記載のロール紙ホルダにおいて、
前記傾斜底面板の前記後側面状傾斜領域に、ロール紙用の当接摩擦部材を装着したことを特徴とするロール紙ホルダ。
【請求項６】
請求項１乃至５の何れか１つに記載のロール紙ホルダにおいて、
前記傾斜底面板と前記本体背面部との下端部相互間に貫通長穴を設けると共に、この貫通長穴の幅を、前記ロール紙が軸芯として備えている筒状軸の外形寸法よりも小さく設定したことを特徴とするロール紙ホルダ。
【請求項７】
請求項１乃至６の何れか１つに記載のロール紙ホルダにおいて、
前記ロール紙切断機構を、ロール紙用の切断刃部と、この切断刃部を下部から支持する刃支持部とにより構成したことを特徴とするロール紙ホルダ。
【請求項８】
請求項７に記載のロール紙ホルダにおいて、
前記切断刃部を、軟質部材により構成したことを特徴とするロール紙ホルダ。
【請求項９】
請求項１乃至８の何れか１つに記載のロール紙ホルダにおいて、
前記ロール紙ガイド部材を、前記ロール紙切断機構側に向けて傾斜した状態に設定したことを特徴とするロール紙ホルダ。
【手続補正２】
【補正対象書類名】明細書
【補正対象項目名】００１２
【補正方法】変更
【補正の内容】
【００１２】
上記の目的を達成するために、本発明に係るロール紙ホルダは、上面が開口され一端部にロール紙引出部を備え且つロール紙全体を回転可能に保持するホルダ本体と、このホルダ本体の前記ロール紙引出部に設置されたロール紙切断機構とを有するロール紙ホルダにおいて、
前記ホルダ本体は、他端部に設置された本体背面部と、この本体背面部と前記ロール紙引出部との間で上に向かって突き出るように配設され上端部でロール紙を案内するロール紙ガイド部材と、このロール紙ガイド部材に連なり且つ前記ロール紙を底面側で保持する傾斜底面板とを備え、
前記傾斜底面板を、平面状の後側面状傾斜領域と、この後側面状傾斜領域の前端に連なった平面状の前側面状傾斜領域とにより構成し、
前記前側面状傾斜領域と後側面状傾斜領域の各傾斜面に沿った長さを略同等に設定すると共に、この前側面状傾斜領域と後側面状傾斜領域との中間曲面領域を、前記ホルダ本体の内側に向けて突出した状態に設置したことを特徴としている。
【手続補正３】
【補正対象書類名】明細書
【補正対象項目名】００２６
【補正方法】変更
【補正の内容】
【００２６】
より詳細には、傾斜底面板１３は、この傾斜底面板１３の後部を構成し水平面に対して予め設定された第１の傾斜角で傾斜している平面状の後側傾斜領域（後側面状傾斜領域）１３Ａと、この後側傾斜領域１３Ａの前端に連なって傾斜底面板１３の前部を構成し且つ前記第１の傾斜角よりも小さい水平面に対して予め設定された第２の傾斜角で傾斜している平面状の前側傾斜領域（前側面状傾斜領域）１３Ｂとにより構成されている。